(57)【要約】【課題】携帯端末装置において特定地点に関する情報を検索する際の操作を簡略化することができ、特定地点に関連する広範囲な情報の検索を行うことができる車載システムを提供すること。【解決手段】ナビゲーション装置２００は、車両の走行経路に基づいて特定される特定地点に関連する検索キーワードを抽出するキーワード抽出部３２と、検索キーワードの送信タイミング到来の有無を判定する送信タイミング判定部３８と、送信タイミング判定部３８によって送信タイミングが到来した旨の判定が行われたときに、検索キーワード抽出部３２によって抽出された検索キーワードを携帯端末装置１００に向けて送信するキーワード送信部３６とを備えている。【選択図】図２
2013234937.tif 000002
【特許請求の範囲】
【請求項１】
車載装置において特定地点に関する情報を抽出して携帯端末装置に向けて送信する車載システムであって、
前記車載装置は、
車両の走行経路に基づいて特定される特定地点に関連する検索キーワードを抽出するキーワード抽出手段と、
前記検索キーワードの送信タイミング到来の有無を判定する送信タイミング判定手段と、
前記送信タイミング判定手段によって送信タイミングが到来した旨の判定が行われたときに、前記検索キーワード抽出手段によって抽出された検索キーワードを前記携帯端末装置に向けて送信するキーワード送信手段と、
を備えることを特徴とする車載システム。
【請求項２】
請求項１において、
前記携帯端末装置は、
前記キーワード送信手段から送信された検索キーワードを受信するキーワード受信手段と、
前記キーワード受信手段によって受信した検索キーワードを用いて検索された情報を表示する情報表示手段と、
を備えることを特徴とする車載システム。
【請求項３】
請求項１または２において、
前記送信タイミング判定手段は、車両が前記特定地点に到着したとき、車両が前記特定地点に到着した後にエンジンが停止したとき、利用者によって送信が指示されたときの少なくとも一つにおいて送信タイミングが到来した旨の判定を行うことを特徴とする車載システム。
【請求項４】
請求項１〜３のいずれかにおいて、
前記特定地点は、走行を予定している経路の目的地または経由地、実際に走行した経路の到着地の少なくとも一つを含むことを特徴とする車載システム。
【請求項５】
請求項１〜４のいずれかにおいて、
前記キーワード抽出手段によって複数の検索キーワードが抽出されたときに、その中から、利用者の指示に応じてその一部あるいは全部を選択するキーワード選択手段をさらに備え、
前記キーワード送信手段は、前記キーワード選択手段によって選択されたキーワードを送信することを特徴とする車載システム。
【請求項６】
請求項２において、
前記携帯端末装置は、前記キーワード受信手段によって受信した検索キーワードを用いた検索動作の開始を指示する検索指示手段をさらに備えることを特徴とする車載システム。
【請求項７】
請求項６において、
検索キーワードに基づいて検索動作は、前記車載装置および前記携帯端末装置とは別に設けられた検索処理手段によって行われ、
前記携帯端末装置は、前記検索処理手段による検索によって得られた情報を受信する検索結果受信手段をさらに備え、
前記情報表示手段は、前記検索結果受信手段によって受信した情報を表示することを特徴とする車載システム。
【発明の詳細な説明】
【技術分野】
【０００１】
本発明は、車載装置から携帯端末装置に対して各種情報を送信する車載システムに関する。
【背景技術】
【０００２】
従来から、車両走行中に目的地に到着したときに目的地の位置を携帯型電話機を介して情報センターに向けて送信するとともに、情報センタから送られてくる目的地周辺情報を受信してその内容を表示するようにしたナビゲーション装置が知られている（例えば、特許文献１参照）。表示対象となる目的地周辺情報としては、駐車場情報、店舗情報、映画館情報、時刻表情報、観光情報などが想定されている。
【０００３】
また、従来から、車両が目的地の駅に到着したときに、所定時間範囲の時刻表データを携帯電話に転送することにより、携帯電話で時刻表を見ることができるナビゲーション装置が知られている（例えば、特許文献２参照。）。
【先行技術文献】
【特許文献】
【０００４】
【特許文献１】特開２００２−３０３５２８号公報
【特許文献２】特許第３９４４１３１号公報
【発明の概要】
【発明が解決しようとする課題】
【０００５】
特許文献１に開示された従来手法では、利用者が必要とする各種情報を車載器としてのナビゲーション装置に表示しているため、車両が目的地に到着して利用者が車両から離れた状態ではその内容を見ることができず、情報を有効利用することができない。
【０００６】
また、特許文献２に開示された従来手法では、予め決められた特定の情報（時刻表データ）については車載器としてのナビゲーション装置が取得して携帯電話に転送することができるが、表示対象となる特定の情報が限定されており、この情報に関連するその他の情報を表示することができない。
【０００７】
特に、最近では、スマートフォン（登録商標）と称される携帯端末装置の普及が著しく、インターネットを介して各種の検索エンジンに検索を依頼することにより、特許文献１、２において利用者に提供される情報と同様の情報や、さらにこの情報に関連する情報を簡単に取得して携帯端末装置の表示装置に表示することができるようになっている。しかし、このような検索依頼を行うためには、特許文献１、２によって利用者に提供される情報に基づいて、利用者自身が検索キーワードを入力して検索依頼を行う必要があり、操作が煩雑になるという問題があった。また、特許文献１、２に開示された手法では、目的地に関連する特定の情報をナビゲーション装置において取得し、ナビゲーション装置の表示画面に、あるいは、携帯電話の表示画面にその取得した情報の内容を表示しているため、これらの表示内容を参考にして、利用者が携帯端末装置を用いて目的地あるいはその周辺の場所や施設に関する検索を行おうとしても、特定の情報に関連する検索はできるが、特定の情報に関連しないような広範囲な情報の検索を行うことができないという問題があった。例えば、特許文献１のナビゲーション装置によって目的地周辺の店舗情報を表示する場合には、それ以外の観光情報などについては表示が行われないため、利用者が携帯端末装置を用いて観光情報について検索を行おうとしても、ナビゲーション装置に表示された情報（店舗情報）は検索に対して何の役にも立たない。
【０００８】
本発明は、このような点に鑑みて創作されたものであり、その目的は、携帯端末装置において特定地点に関する情報を検索する際の操作を簡略化することができ、特定地点に関連する広範囲な情報の検索を行うことができる車載システムを提供することにある。
【課題を解決するための手段】
【０００９】
上述した課題を解決するために、本発明の車載システムは、車載装置において特定地点に関する情報を抽出して携帯端末装置に向けて送信する車載システムであって、車載装置は、車両の走行経路に基づいて特定される特定地点に関連する検索キーワードを抽出するキーワード抽出手段と、検索キーワードの送信タイミング到来の有無を判定する送信タイミング判定手段と、送信タイミング判定手段によって送信タイミングが到来した旨の判定が行われたときに、検索キーワード抽出手段によって抽出された検索キーワードを携帯端末装置に向けて送信するキーワード送信手段とを備えている。また、上述した携帯端末装置は、キーワード送信手段から送信された検索キーワードを受信するキーワード受信手段と、キーワード受信手段によって受信した検索キーワードを用いて検索された情報を表示する情報表示手段とを備えている。
【００１０】
車載装置において特定地点に関連する検索キーワードを抽出し、抽出された検索キーワードを所定の送信タイミングで携帯端末装置に向けて送信しているため、携帯端末装置において検索キーワードを入力する必要がなく、特定地点に関する情報を検索する際の操作を簡略化することができる。特に、携帯端末装置は、机上で操作されるパーソナルコンピュータ等に比べて表示画面や操作部が小さく、文字種の切り替えや日本語変換の操作も面倒であり、検索キーワードの入力を省略することによる操作性向上の効果は大きい。また、車載装置では検索キーワードの抽出のみを行っているため、広範囲な分野に対応する検索キーワードを抽出することが可能であり、それらを携帯端末装置に送ることにより、携帯端末装置側では特定地点に関連する広範囲な情報の検索を実施することが可能となる。
【００１１】
また、上述した送信タイミング判定手段は、車両が特定地点に到着したとき、車両が特定地点に到着した後にエンジンが停止したとき、利用者によって送信が指示されたときの少なくとも一つにおいて送信タイミングが到来した旨の判定を行うことが望ましい。これにより、特定地点周辺の情報取得を希望するタイミングで検索キーワードを携帯端末装置に送ることが可能となる。
【００１２】
また、上述した特定地点は、走行を予定している経路の目的地または経由地、実際に走行した経路の到着地の少なくとも一つを含むことが望ましい。これにより、利用者が車両から離れる際にその周辺の情報を検索して取得することが可能となる。
【００１３】
また、上述したキーワード抽出手段によって複数の検索キーワードが抽出されたときに、その中から、利用者の指示に応じてその一部あるいは全部を選択するキーワード選択手段をさらに備え、キーワード送信手段は、キーワード選択手段によって選択されたキーワードを送信することが望ましい。これにより、予め多くの検索キーワードを抽出しておいて、必要に応じてその一部あるいは全部を携帯端末装置に送ることができ、利用者が希望する情報を選択的に検索することが可能となる。
【００１４】
また、上述した携帯端末装置は、キーワード受信手段によって受信した検索キーワードを用いた検索動作の開始を指示する検索指示手段をさらに備えることが望ましい。さらに、上述した検索キーワードに基づいて検索動作は、車載装置および携帯端末装置とは別に設けられた検索処理手段によって行われ、携帯端末装置は、検索処理手段による検索によって得られた情報を受信する検索結果受信手段をさらに備え、情報表示手段は、検索結果受信手段によって受信した情報を表示することが望ましい。これにより、車載装置から送られてくる検索キーワードを用いて携帯端末装置側にて検索を開始（あるいは実施）して、検索結果として得られる情報を表示することができる。また、携帯端末装置の外部に設けられた検索処理手段（例えば、インターネット経由で接続される各種の検索エンジン）を利用して検索を行うことにより、検索対象となる情報量を増加させることができるとともに、車載装置や携帯端末装置の構成を簡略化することができる。
【図面の簡単な説明】
【００１５】
【図１】一実施形態の車載システムの全体構成を示す図である。
【図２】ナビゲーション装置の詳細構成を示す図である。
【図３】目的地に到着した際に検索キーワードを抽出して携帯端末装置に送信するナビゲーション装置の動作手順を示す流れ図である。
【図４】検索キーワード転送確認画面の具体例を示す図である。
【図５】検索キーワード一覧画面の具体例を示す図である。
【図６】選択キーワード確認画面の具体例を示す図である。
【図７】ナビゲーション装置から送られてくる検索キーワードを受信してから検索結果を得るまでの携帯端末装置の動作手順を示す流れ図である。
【図８】検索画面の具体例を示す図である。
【図９】検索キーワードを抽出して携帯端末装置に送信するナビゲーション装置の動作手順の変形例を示す流れ図である。
【図１０】利用者によって選択された検索キーワードを変更可能としたナビゲーション装置の動作手順の変形例を示す流れ図である。
【図１１】選択キーワード確認画面の変形例を示す図である。
【図１２】過去に行ったことがある同じ種類の目的地に対応する検索キーワードを読み出すようにしたナビゲーション装置の動作手順の変形例を示す流れ図である。
【発明を実施するための形態】
【００１６】
以下、本発明を適用した一実施形態の車載システムについて、図面を参照しながら説明する。図１は、一実施形態の車載システムの全体構成を示す図である。図１に示す車載システムは、互いに接続される携帯端末装置１００と車載装置としてのナビゲーション装置２００とを含んで構成されており、ナビゲーション装置２００から送られてくる検索キーワードを携帯端末装置１００で受信する。携帯端末装置１００は、この受信した検索キーワードを用いて外部の検索サーバ３００に対して検索処理を依頼し、検索サーバ３００から送り返されてくる検索結果を受信してその内容を表示する。
【００１７】
携帯端末装置１００は、一般にスマートフォンと称されるものであり、携帯電話機と携帯情報端末の機能を有する。この携帯端末装置１００は、制御部１１０、操作部１１２、表示部１１４、電話処理部１１６、メモリ１２０、通信インタフェース部（通信ＩＦ）１２４を備えている。
【００１８】
制御部１１０は、携帯端末装置１００の全体を制御するためのものであり、ＣＰＵを含んで構成されている。操作部１１２は、テンキーやその他のキーおよび各種のスイッチを含んでおり、利用者の操作指示や各種の入力を受け付ける。タッチパネルで構成した操作部１１２を用いて、画面に表示した各種キー等を利用者が指で指し示すようにしてもよい。
【００１９】
表示部１１４は、ＬＣＤ（液晶表示装置）等で構成されており、操作部１１２を用いた操作内容や制御部１１０による制御内容および処理内容などが表示される。電話処理部１１６は、携帯電話機としての処理を行う。例えば、電話処理部１１６は、基地局との間で発着信処理を行って通話処理やインターネット接続処理などを行う。このインターネット接続処理により、外部の検索サーバ３００との接続が可能となる。
【００２０】
メモリ１２０は、制御部１１０によって実行される制御プログラムや、携帯情報端末として動作する際に必要な各種のアプリケーションプログラムを格納する。本実施形態では、検索キーワードを指定して検索動作を依頼し、検索結果を取得して表示するアプリケーションプログラムである検索アプリケーション（以後、「検索アプリ」と称する）１２１と、ナビゲーション装置２００から送られてくる検索キーワードを受信するキーワード受信アプリケーション（以後、「キーワード受信アプリ」と称する）１２２とが格納されている。これらの検索アプリ１２１やキーワード受信アプリ１２２を制御部１１０によって読み出して実行することにより、それぞれのアプリに対応する所定の動作が行われる。なお、検索アプリ１２１を用いた検索機能は、本実施形態の携帯端末装置１００に限らず、最近の携帯端末装置には通常備わったものであり、検索動作自体は検索サーバ３００において行われる。この検索サーバ３００は検索処理部３１０を有する。検索処理部３１０は、不特定の利用者に検索サービスを提供する検索エンジンであり、本実施形態では、ナビゲーション装置２００の製造や販売を行うメーカー等とは異なる第三者（企業やその他の団体等）によって、必要な構成や処理手順の構築および内容更新が行われることを想定している。
【００２１】
本実施形態では、検索アプリ１２１を実行することにより、検索サーバ３００の検索処理部３１０に対して検索キーワードを用いた検索動作の開始を指示する検索指示部１１０Ａと、この検索動作の結果得られた情報を検索サーバ３００から受け取る検索結果受信部１１０Ｂとして制御部１１０が動作する。また、キーワード受信アプリ１２２を実行することにより、ナビゲーション装置２００から送られてくる検索キーワードを受信する検索キーワード受信部１１０Ｃとして制御部１１０が動作する。
【００２２】
通信インタフェース部１２４は、ブルートゥース（Bluetooth、登録商標）によってナビゲーション装置２００との間で無線接続を行って各種データの送受信を行う通信装置（ブルートゥース機器）である。なお、無線接続を行う代わりに有線接続、例えばＵＳＢ（Universal Serial Bus）ケーブルやＩＥＥＥ１３９４ケーブルを介して接続するようにしてもよい。また、これら複数種類の通信インタフェース部１２４を同時に実装するようにしてもよい。
【００２３】
図２は、ナビゲーション装置２００の詳細構成を示す図である。図２に示すように、ナビゲーション装置２００は、ナビゲーションコントローラ１、地図データ記憶装置３、操作部４、車両位置検出部５、表示装置６、オーディオ部７、通信インタフェース部（通信ＩＦ）８を含んで構成されている。
【００２４】
ナビゲーションコントローラ１は、ＣＰＵ、ＲＯＭ、ＲＡＭ等を用いて所定の動作プログラムを実行することにより、自車位置周辺の地図画像表示動作や施設検索動作、経路探索・誘導動作などの各種機能を実現する。ナビゲーションコントローラ１の詳細構成については後述する。
【００２５】
地図データ記憶装置３は、地図表示、施設検索、経路探索や検索キーワード抽出などに必要な地図データが格納されている記憶媒体およびその読み取り装置である。この地図データ記憶装置３には、経度および緯度で適当な大きさに区切られた矩形形状の図葉を単位とした地図データが格納されている。各図葉の地図データは、図葉番号を指定することにより特定され、読み出すことが可能となる。地図データ記憶装置３は、ハードディスク装置や半導体メモリによって、あるいは、ＤＶＤとその読み取り装置によって実現される。また、地図データ記憶装置３を通信装置に置き換えて、外部の地図配信サーバ（図示せず）から地図データを取得するようにしてもよい。
【００２６】
操作部４は、利用者の指示あるいは操作を受け付けるためのものであり、各種の操作ボタンや操作つまみ類を備えている。また、操作部４は、表示装置６の画面に取り付けられたタッチパネルを含んでおり、画面上の一部を直接利用者が指等で指し示すことにより、操作指示を行うことができるようになっている。車両位置検出部５は、例えば、ＧＰＳ受信機、方位センサ、距離センサなどを備えており、所定のタイミングで車両位置（経度、緯度）の検出を行い、検出結果を出力する。
【００２７】
表示装置６は、例えばＬＣＤ（液晶表示装置）によって構成されており、ナビゲーションコントローラ１から出力される映像信号に基づいて自車位置周辺の地図画像や交差点案内画像、あるいは、検索キーワードの抽出から転送までに必要な各種画面（具体例については後述する）などを表示する。オーディオ部７は、ナビゲーションコントローラ１から入力される音声信号に基づいて生成した案内音声等を車室内に出力する。通信インタフェース部８は、ブルートゥースによって携帯端末装置１００との間で無線接続を行って各種データの送受信を行う通信装置（ブルートゥース機器）である。なお、この通信インタフェース部８は、携帯端末装置１００に備わった通信インタフェース部１２４と対をなすものであり、通信インタフェース部１２４と同様に、無線接続を行う代わりに有線接続、例えばＵＳＢケーブルやＩＥＥＥ１３９４ケーブルを介して接続するようにしてもよい。
【００２８】
次に、ナビゲーションコントローラ１の詳細構成について説明する。図２に示すナビゲーションコントローラ１は、地図バッファ１０、地図読出制御部１２、地図描画部１４、車両位置計算部２０、経路探索処理部２２、経路誘導処理部２４、施設検索部３０、キーワード抽出部３２、キーワード選択部３４、キーワード送信部３６、送信タイミング判定部３８、入力処理部４０、表示処理部６０を含んで構成されている。
【００２９】
地図バッファ１０は、地図データ記憶装置３から読み出された地図データを一時的に格納する。地図読出制御部１２は、車両位置計算部２０により算出される車両位置や利用者が操作部４を操作して指定した位置に応じて、所定範囲の地図データの読み出し要求を地図データ記憶装置３に出力する。地図描画部１４は、地図バッファ１０に格納された地図データに基づいて、表示装置６に地図画像を表示するために必要な描画処理を行って地図画像描画データを作成する。
【００３０】
車両位置計算部２０は、車両位置検出部５から出力される検出データに基づいて自車位置を計算するとともに、計算した自車位置が地図データの道路上にない場合には、自車位置を修正するマップマッチング処理を行う。
【００３１】
経路探索処理部２２は、出発地と目的地（あるいは経由地）との間を所定の探索条件にしたがって結ぶ走行経路（誘導経路）を探索する。経路誘導処理部２４は、経路探索処理部２２による探索処理によって得られた誘導経路を地図上に重ねて表示したり、右左折交差点の拡大図を表示するための誘導経路描画データを作成するとともに、誘導経路に沿って車両を誘導するために必要な交差点案内等の音声信号を生成する。
【００３２】
施設検索部３０は、利用者によって指定される検索条件を満足する施設を検索する。例えば、利用者によって遊戯施設やレストランなどが検索条件として指定されると、自車位置あるいは利用者によって指定された位置の周辺に存在するこれらの施設を抽出する検索処理が行われる。検索結果としての施設は、経路探索処理部２２による経路探索の目的地（あるいは経由地）として用いることができる。
【００３３】
キーワード抽出部３２は、車両の走行経路に沿って特定される特定地点に関連する検索キーワードを抽出する。キーワード選択部３４は、キーワード抽出部３２によって複数の検索キーワードが抽出されたときに、その中から、利用者の指示に応じてその一部あるいは全部を選択する。送信タイミング判定部３８は、検索キーワードの送信タイミング到来の有無を判定する。キーワード送信部３６は、送信タイミング判定部３８によって送信タイミングが到来した旨の判定が行われたときに、キーワード抽出部３２によって抽出された検索キーワード（キーワード選択部３４によってその中の一部が選択された場合には選択された検索キーワード）を通信インタフェース部８を介して携帯端末装置１００に向けて送信する。
【００３４】
入力処理部４０は、操作部４を用いて入力される各種の操作指示や操作内容を検出してナビゲーションコントローラ１内の各部に向けて出力する。表示処理部６０は、地図描画部１４によって作成される地図画像描画データが入力されており、この描画データに基づいて所定範囲の地図画像を表示装置６の画面に表示する。また、検索キーワード抽出から送信までに必要な各種画面の表示に必要な描画データがキーワード選択部３４によって作成されると、表示処理部６０は、この描画データを地図画像に重ねて表示装置６の画面に表示する。
【００３５】
上述したキーワード抽出部３２がキーワード抽出手段に、送信タイミング判定部３８が送信タイミング判定手段に、キーワード送信部３６がキーワード送信手段に、キーワード選択部３４がキーワード選択手段にそれぞれ対応する。また、上述した検索キーワード受信部１１０Ｃがキーワード受信手段に、検索結果受信部１１０Ｂが情報表示手段、検索結果受信手段に、検索指示部１１０Ａが検索指示手段にそれぞれ対応する。
【００３６】
本実施形態の車載システムはこのような構成を有しており、次に、その動作を説明する。図３は、目的地に到着した際に検索キーワードを抽出して携帯端末装置１００に送信するナビゲーション装置２００の動作手順を示す流れ図である。なお、経路探索処理部２２によって経路探索の目的地が予め設定されているものとする。
【００３７】
送信タイミング判定部３８は、車両が目的地に到着したか否かを判定する（ステップ１００）。この判定は、目的地の位置と車両位置計算部２０によって算出された自車位置とを比較することにより行われる。目的地に到達していない場合には否定判断が行われ、この判定動作が繰り返される。また、目的地に到達した場合にはステップ１００の判定において肯定判断が行われる。次に、キーワード抽出部３２は、検索キーワード転送確認画面を表示する（ステップ１０２）。
【００３８】
図４は、検索キーワード転送確認画面の具体例を示す図である。図４に示す検索キーワード転送確認画面には、「目的地に到着しました。」、「携帯端末装置に検索キーワードを転送しますか？」などの文字列と、検索キーワード転送の有無を利用者が指示するためのボタン「ＹＥＳ」、「ＮＯ」が含まれている。キーワード抽出部３２は、利用者によって検索キーワードの転送が指示されたか否かを判定する（ステップ１０４）。操作部４を用いて利用者によって検索キーワード転送確認画面内のボタン「ＮＯ」が選択された場合には否定判断が行われ、検索キーワード送信に関する一連の動作が終了する。
【００３９】
また、操作部４を用いて利用者によって検索キーワード転送確認画面内のボタン「ＹＥＳ」が選択された場合には、ステップ１０４の判定において肯定判断が行われる。次に、検索キーワード抽出部３２は、目的地に対応する検索キーワードを抽出し（ステップ１０６）、キーワード選択部３４は、検索キーワード一覧画面を表示する（ステップ１０８）。
【００４０】
図５は、検索キーワード一覧画面の具体例を示す図である。図５に示す検索キーワード一覧画面には、目的地「××××」（例えば、「××××」には目的地の住所（都府県名、市町村名が入る）と、この目的地に対応する複数の検索キーワードが含まれている。矢印ａ、ｂは、複数の検索キーワードの中から送信対象となるものを選択するためのものであり、着目している検索キーワードを切り替えるために用いられる。利用者が操作部４を用いて矢印ａを指し示すことにより、着目している検索キーワードの箇所を下方に移動させることができる。反対に、矢印ｂを指し示すことにより、着目している検索キーワードの箇所を上方に移動させることができる。利用者は矢印ａ、ｂを用いて着目している検索キーワードを移動させながら、一部あるいは全部の検索キーワードを適宜選択することができる。
【００４１】
また、抽出された検索キーワードの数が多い場合には、検索キーワード一覧画面には、その一部（図５では領域Ａに含まれる４つの検索キーワード）のみが含まれており、残りの部分（図５では領域Ｂに含まれる３つの検索キーワード）については矢印ａを指し示すことで表示対象となる検索キーワードをスクロールして表示させることができる。また、一部（あるいは全部）の検索キーワードを選択すると、この検索キーワードに関連する検索キーワードが表示されて、その中から一部あるいは全部を選択することができる。例えば、図５に示す例では、検索キーワード「食べる」が選択されたときに、領域Ｃに含まれる４つの検索キーワードが表示されて選択可能となる。
【００４２】
ところで、上述した検索キーワード一覧画面を用いて表示される検索キーワードは、目的地毎に設定される。例えば、特定の施設が目的地として設定されている場合には、この施設名称や「ホームページ」が検索キーワードとして抽出される（図５では領域Ｂに含まれている）。また、鉄道の駅が目的地として設定されている場合には、この駅に停車する電車の時刻表を取得することを想定して、「時刻表」が検索キーワードとして抽出される（図５では領域Ｂに含まれている）。なお、最終的には、抽出された複数の検索キーワードの中から、利用者が転送を希望する検索キーワードを選択することができるため、上述した検索キーワード一覧画面には任意の目的地を想定して全ての検索キーワードを含めるようにしてもよい。
【００４３】
検索キーワード一覧画面を用いて利用者による検索キーワードの選択が行われると（ステップ１１０）、キーワード選択部３４は、選択キーワード確認画面を表示するとともに（ステップ１１２）、検索キーワードの選択が終了したか否かを判定する（ステップ１１４）。図６は、選択キーワード確認画面の具体例を示す図である。図６に示す選択キーワード確認画面には、検索キーワード一覧画面を用いて利用者によって選択された一あるいは複数の検索キーワードが含まれている。また、選択キーワード確認画面には、選択をやりなおすためのボタン「戻る」と、選択動作を終了して検索キーワードを送信するためのボタン「送信」が含まれている。操作部４を用いて利用者によって選択キーワード確認画面内のボタン「戻る」が選択された場合にはステップ１１４の判定において否定判断が行われ、ステップ１１０に戻って検索キーワードの選択動作が繰り返される。
【００４４】
また、操作部４を用いて利用者によって選択キーワード確認画面内のボタン「送信」が選択された場合にはステップ１１４の判定において肯定判断が行われる。次に、キーワード送信部３６は、目的地「××××」と選択された検索キーワードとを通信インタフェース部８を介して携帯端末装置１００に向けて送信する（ステップ１１６）。これにより、検索キーワード送信に関する一連の動作が終了する。このようにしてナビゲーション装置２００から送信される検索キーワードは、キーワード受信アプリ１２２を実行して動作する制御部１１０の検索キーワード受信部１１０Ｃによって受信される。
【００４５】
図７は、ナビゲーション装置２００から送られてくる検索キーワードを受信してから検索結果を得るまでの携帯端末装置１００の動作手順を示す流れ図である。検索キーワード受信部１１０Ｃは、ナビゲーション装置２００から送られてくる検索キーワードを受信したか否かを判定する（ステップ２００）。検索キーワードが送られてこない場合には否定判断が行われ、この判定が繰り返される。また、検索キーワードが送られてきて通信インタフェース部１２４を介して受信した場合にはステップ２００の判定において肯定判断が行われる。
【００４６】
次に、検索キーワード受信部１１０Ｃは検索アプリ１２１を起動する（ステップ２０２）。これにより、検索指示部１１０Ａおよび検索結果受信部１１０Ｂによる動作が開始され、表示部１１４に検索画面が表示される（ステップ２０４）。次に、検索キーワード受信部１１０Ｃは、受信した検索キーワードを、検索画面内のキーワード入力領域に入力する（ステップ２０６）。
【００４７】
図８は、検索画面の具体例を示す図である。図８に示す検索画面には、検索キーワードを入力するキーワード入力領域Ｓと、検索結果を表示する検索結果表示領域Ｒとが含まれている。一般に用いられている検索画面では、キーワード入力領域Ｓは空欄になっており、利用者が操作部１１２を操作して（あるいは、音声認識等を利用して）任意の検索キーワードを入力することができるようになっているが、本実施形態では、このキーワード入力領域Ｓにはナビゲーション装置２００から受信した検索キーワードが既に入力された状態になっている。
【００４８】
次に、検索指示部１１０Ａは、検索キーワードの変更があるか否かを判定する（ステップ２０８）。利用者が操作部１１２を操作することにより、検索画面のキーワード入力領域Ｓ内の検索キーワードの変更（検索キーワードが削除された場合や追加された場合も含む）がなされた場合には肯定判断が行われ、検索指示部１１０Ａは、その操作内容に応じた検索キーワードの変更を行う（ステップ２１０）。
【００４９】
その後、あるいは、検索キーワードの変更がない場合にはステップ２０８の判定において否定判断が行われた後、検索指示部１１０Ａは、検索実行か否かを判定する（ステップ２１２）。この判定は、利用者が操作部１１２を操作して検索画面内のボタン「検索」の選択の有無を調べることにより行われる。ボタン「検索」が選択されない場合（検索を実行しない場合）には否定判断が行われ、ステップ２０８に戻って検索キーワード変更の有無判定が繰り返される。また、ボタン「検索」が選択された場合（検索を実行する場合）にはステップ２１２の判定において肯定判断が行われる。次に、検索指示部１１０Ａは、検索サーバ３００の検索処理部３１０に対して、検索キーワードを指定して検索を依頼する（ステップ２１４）。
【００５０】
次に、検索結果受信部１１０Ｂは、検索サーバ３００から検索結果を受信したか否かを判定する（ステップ２１６）。受信していない場合には否定判断が行われ、この判定が繰り返される。また、検索結果を受信した場合にはステップ２１６の判定において肯定判断が行われ、検索結果受信部１１０Ｂは、検索画面（図８）内の検索結果表示領域Ｒに検索結果を表示する（ステップ２１８）。なお、上述した検索依頼（ステップ２１４）から検索結果表示（ステップ２１８）までの各動作は、従来から携帯端末装置１００を用いて行われる検索動作と同じである。
【００５１】
このように、本実施形態の車載システムでは、車載装置としてのナビゲーション装置２００において特定地点である目的地に関連する検索キーワードを抽出し、抽出された検索キーワードを所定の送信タイミングで携帯端末装置１００に向けて送信しているため、携帯端末装置１００において検索キーワードを利用者自身が操作部１１２を操作して入力する必要がなく、特定地点に関する情報を検索する際の操作を簡略化することができる。特に、携帯端末装置１００は、机上で操作されるパーソナルコンピュータ等に比べて表示部１１４の表示画面や操作部１１２が小さく、文字種の切り替えや日本語変換の操作も面倒であり、検索キーワードの入力を省略することによる操作性向上の効果は大きい。また、ナビゲーション装置２００では検索キーワードの抽出のみを行っているため、検索キーワードを用いて検索した場合に得られる検索結果を保持する場合に比べて、広範囲な分野に対応する検索キーワードを用意しておいて抽出することが可能であり、それらを携帯端末装置１００に送ることにより、携帯端末装置１００側では特定地点に関連する広範囲な情報の検索を実施することが可能となる。
【００５２】
また、検索キーワードの送信タイミングを車両が目的地に到着したときとすることにより、目的地周辺についての情報取得を希望するタイミングで検索キーワードを携帯端末装置１００に送ることが可能となる。また、特定地点として車両の走行経路の目的地を用いることにより、利用者が車両から離れる際にその周辺の情報を検索して取得することが可能となる。
【００５３】
また、ナビゲーション装置２００において複数の検索キーワードが抽出されたときに、その中から、利用者の指示に応じてその一部あるいは全部を選択して携帯端末装置１００に向けて送信することにより、予め多くの検索キーワードを抽出しておいて、必要に応じてその一部あるいは全部を携帯端末装置１００に送ることができ、利用者が希望する情報を選択的に検索することが可能となる。
【００５４】
なお、本発明は上記実施形態に限定されるものではなく、本発明の要旨の範囲内において種々の変形実施が可能である。例えば、上述した実施形態では、検索キーワードを抽出して送信する対象となる特定地点として、経路探索によって得られた走行経路の目的地を用いたが、目的地に至る途中の経由地や、経路探索の有無に関係なく実際に走行した経路の到着地を特定地点として用いるようにしてもよい。この点は、後述する各種変形例についても同様である。なお、実際に走行した経路の到着地については、例えば、以下に示すエンジン停止を判定したときに到着したものと判定する場合が考えられる。
【００５５】
また、上述した実施形態では、検索キーワードを抽出して送信するタイミングを特定地点（目的地、経由地、到着地など）に到着した時点としたが、この時点とともに、車両が特定地点に到着した後にエンジンが停止した時点や、利用者によって送信が指示された時点の少なくとも一つに該当したときを送信タイミングとしてもよい。この点は、後述する各種変形例についても同様である。なお、エンジンが停止したか否かは、例えば、エンジンの制御装置からエンジン状態（停止の有無）を示す信号を取得することで容易に判定することができる。
【００５６】
図９は、検索キーワードを抽出して携帯端末装置１００に送信するナビゲーション装置２００の動作手順の変形例を示す流れ図である。図９に示す動作手順は、図３に示した動作手順におけるステップ１００の動作の次に（あるいはステップ１００の動作と並行して）ステップ１００Ａ、１００Ｂの動作を追加したものである。ステップ１００Ａでは、送信タイミング判定部３８は、エンジンが切られたか否かを判定する。ステップ１００Ｂでは、送信タイミング判定部３８は、操作部４を用いて利用者によって検索キーワードの送信が指示されたか否かを判定する。ステップ１００、１００Ａ、１００Ｂのいずれかにおいて肯定判断が行われ場合には、ステップ１０２の動作（検索キーワード転送確認画面の表示）に移行する。また、ステップ１００、１００Ａ、１００Ｂの全てにおいて否定判断が行われ場合にはステップ１００の判定動作が繰り返される。
【００５７】
また、上述した実施形態では、ナビゲーション装置２００において複数の検索キーワードが抽出されたときに、その一部あるいは全部を利用者の指示に応じて選択可能としたが、このような選択動作を行った後に、その内容を利用者の指示に応じて適宜変更できるようにしてもよい。
【００５８】
図１０は、利用者によって選択された検索キーワードを変更可能としたナビゲーション装置２００の動作手順の変形例を示す流れ図である。図１０に示す動作手順は、図３に示した動作手順に対して、ステップ１１４において否定判断された後の動作としてステップ３００、３０２を追加した点が異なっている。なお、この変形例では、ステップ１１０において表示される選択キーワード確認画面は、図６に示した選択キーワード確認画面の代わりに図１１に示した変形例の選択キーワード確認画面が用いられる。選択キーワードの選択が終了しておらずステップ１１４の判定において否定判断が行われると、キーワード選択部３４（あるいは、キーワード変更部を新たに設けてステップ３００、３０２の動作を行わせるようにしてもよい）は、検索キーワードの変更があるか否かを判定する（ステップ３００）。利用者が操作部４を操作することにより、選択キーワード確認画面内の目的地や複数の検索キーワードの内容を直接変更した後、ボタン「変更」を選択した場合には肯定判断が行われ、キーワード選択部３４は、その操作内容に応じた検索キーワードの変更を行う（ステップ３０２）。この変更が終了した後、あるいは、ボタン「変更」が選択されずにステップ３００の判定において否定判断が行われた後、ステップ１１２に戻って選択キーワード確認画面表示動作が繰り返される。
【００５９】
また、上述した実施形態では、目的地に到着する毎に同じ手順で検索キーワードの抽出、選択などを行ったが、過去に同じ種類の目的地に行ったことがある場合には、この過去に行ったことがある目的地に対応してそのときに選択された検索キーワードを読み出して使うようにしてもよい。
【００６０】
図１２は、過去に行ったことがある同じ種類の目的地に対応する検索キーワードを読み出すようにしたナビゲーション装置２００の動作手順の変形例を示す流れ図である。図１２に示した動作手順は、図３に示した動作手順に対して、ステップ１０４の動作の次にステップ３１０、３１２の動作を追加するとともに、ステップ１１４の動作の次にステップ３１４の動作を追加した点が異なっている。
【００６１】
検索キーワードの転送が指示されてステップ１０４の判定において肯定判断が行われると、キーワード選択部３４（あるいは、キーワード保存・読出部を新たに設けてステップ３１０、３１２、３１４の動作を行わせるようにしてもよい）は、過去に同じ種類の目的地に行ったことがあるか否かを判定する（ステップ３１０）。行ったことがない場合には否定判断が行われ、ステップ１０６に移行して検索キーワード抽出部３２による検索キーワード抽出が行われる。また、過去に同じ種類の目的地に行ったことがある場合にはステップ３１０の判定において肯定判断が行われる。次に、キーワード選択部３４は、保存されている同じ種類の目的地に対応する検索キーワードを読み出す（ステップ３１２）。なお、検索キーワードの保存動作自体は後述するステップ３１４において行われる。ステップ１０６における検索キーワードの抽出、あるいは、ステップ３１２における検索キーワードの読み出しが行われた後、ステップ１０８に移行して検索キーワード一覧画面表示が行われる。なお、ステップ３１２において検索キーワードを読み出した後に表示される検索キーワード一覧画面では、選択対象から外された検索キーワードも表示対象に含めることが望ましい。例えば、図５に示した検索キーワード一覧画面を考えた場合に、選択された検索キーワードを領域Ａに含ませ、選択対象から外された検索キーワードを領域Ｂに含ませ、特定の操作を行った場合に領域Ｂに含まれる検索キーワードを表示させる場合が考えられる。
【００６２】
また、検索キーワードの選択が終了してステップ１１４の判定において肯定判断が行われた後、キーワード選択部３４は、目的地の種類と選択された検索キーワードを保存する（ステップ３１４）。例えば、目的地が駅の場合には目的地の種類が「駅」であることとこの駅に到着した際に送信対象として選択された検索キーワードが保存される。また、目的地が観光地の施設の場合には、目的地の種類として「観光地」や施設の種類（遊園地や博物館など）とこの施設に到着した際に送信対象として選択された検索キーワードが保存される。このようにして目的地の種類や検索キーワードを保存しておくことにより、ステップ３１０、３１２の各動作が可能となる。その後、ステップ１１６に移行し、目的地と検索キーワードの送信が行われる。
【００６３】
このように、目的地に対応して抽出、選択（あるいは変更）された検索キーワードを目的地の種類毎に保存しておいて、次に同じ種類の目的地に到着したときに読み出して送信対象として用いることにより、利用者の好み等を反映して検索キーワードの設定を行う際の操作の手間を低減することができる。
【００６４】
また、上述した実施形態では、携帯端末装置１００から検索サーバ３００に検索依頼を行い、検索処理自体は検索サーバ３００内の検索処理部３１０において行ったが、この検索処理を携帯端末装置１００において行う場合にも本発明を適用することができる。また、本実施形態ではスマートフォンと称される携帯端末装置１００を用いたが、それ以外の携帯端末装置を用いるようにしてもよい。例えば、アクセスポイントとの間で無線ＬＡＮによる通信が可能な携帯音楽プレーヤ等を携帯端末装置として用いることができる。
【産業上の利用可能性】
【００６５】
上述したように、本発明によれば、車載装置において特定地点に関連する検索キーワードを抽出し、抽出された検索キーワードを所定の送信タイミングで携帯端末装置に向けて送信しているため、携帯端末装置において検索キーワードを入力する必要がなく、特定地点に関する情報を検索する際の操作を簡略化することができる。
【符号の説明】
【００６６】
１  ナビゲーションコントローラ
４  操作部
８  通信インタフェース部（通信ＩＦ）
１０  地図バッファ
１２  地図読出制御部
１４  地図描画部
２０  車両位置計算部
２２  経路探索処理部
２４  経路誘導処理部
３０  施設検索部
３２  キーワード抽出部
３４  キーワード選択部
３６  キーワード送信部
３８  送信タイミング判定部
１００  携帯端末装置
１１０Ａ  検索指示部
１１０Ｂ  検索結果受信部
１１０Ｃ  検索キーワード受信部
２００  ナビゲーション装置
３００  検索サーバ
【図１】
2013234937.tif 000003
【図２】
2013234937.tif 000004
【図３】
2013234937.tif 000005
【図４】
2013234937.tif 000006
【図５】
2013234937.tif 000007
【図６】
2013234937.tif 000008
【図７】
2013234937.tif 000009
【図８】
2013234937.tif 000010
【図９】
2013234937.tif 000011
【図１０】
2013234937.tif 000012
【図１１】
2013234937.tif 000013
【図１２】
2013234937.tif 000014